(57)【要約】      （修正有）【課題】金属板の伸縮による左右方向の移動を、施工状態に影響を及ぼすことなく防止することができる横葺き屋根材を提供する。【解決手段】係止部１０には屋根材固定具被係止部を形成し、その屋根材固定具被係止部以外の箇所を吊子３で固定し、屋根材固定具被係止部には屋根材固定具２をはめて固定し、吊子３または屋根材固定具２を屋根材固定具被係止部にはめたときに、屋根材固定具被係止部の軒側端縁は屋根材固定具被係止部の両脇の折り曲げ箇所よりも少なくとも突出しない位置に形成されている横葺き屋根材１を用いる。【選択図】図１
2010106505.tif 000002
【特許請求の範囲】
【請求項１】
金属板を折り曲げて製作され、
面板部と、
軒側となる係合部と、
棟側となる係止部とから成っていて、
吊子と屋根材固定具とで固定される横葺き屋根材であって、
前記係合部は面板部の一側端縁を下面側に折り曲げて形成されており、
前記係止部は面板部の他側端縁を上面側に折り曲げた折り曲げ面と、
該折り曲げ面を外側方向に折り返した折り返し辺とから形成されており、
前記係止部には１以上の屋根材固定具被係止部が形成されており、
該屋根材固定具被係止部以外の箇所が吊子で固定され、
屋根材固定具被係止部には屋根材固定具がはめられて固定されており、
前記屋根材固定具被係止部には前記吊子と同じ屋根材固定具をはめることができ、
該吊子または屋根材固定具を前記屋根材固定具被係止部にはめたときに、
該屋根材固定具被係止部の軒側端縁は屋根材固定具被係止部の両脇の折り曲げ箇所よりも少なくとも突出しない位置に形成されている横葺き屋根材。
【請求項２】
金属板を折り曲げて製作され、
面板部と、
軒側となる係合部と、
棟側となる係止部とから成っていて、
吊子と屋根材固定具とで固定される横葺き屋根材であって、
前記係合部は面板部の一側端縁を下面側に折り曲げて形成されており、
前記係止部は面板部の他側端縁を上面側に折り曲げた折り曲げ面と、
該折り曲げ面を外側方向に折り返した折り返し辺とから形成されており、
前記係止部には１以上の屋根材固定具被係止部が形成されており、
該屋根材固定具被係止部以外の箇所が吊子で固定され、
屋根材固定具被係止部には屋根材固定具がはめられて固定されており、
前記屋根材固定具被係止部には前記吊子と同じ屋根材固定具をはめることができ、
該吊子または屋根材固定具を前記屋根材固定具被係止部にはめたときに、
該屋根材固定具被係止部の軒側端縁は屋根材固定具被係止部の両脇の折り曲げ箇所よりも少なくとも突出しない位置に形成されており、
前記屋根材固定具被係止部は、
前記折り曲げ面と前記折り返し辺との折り曲げ箇所を切り欠いた切り欠きであることを特徴とする横葺き屋根材。
【発明の詳細な説明】
【技術分野】
【０００１】
本発明は、金属製の横葺き屋根材に関するものである。
【背景技術】
【０００２】
銅板等の横葺き屋根材を固定する際に、横葺き屋根材を直止めせずに、吊子を用いることによって、横葺き屋根材の伸縮に対応することが知られている。
まず、図５（ア）（イ）に基づき説明するが、これは特開平７−１１９２５６号公報に記載された横葺き屋根材１と吊子３である。
図５（ア）に示した横葺き屋根材１は、扁平な逆Ｓ字状をしている。棟側となる側は、面板部１ｃの一側端縁を上面側に折り曲げて折り曲げ面１０ｃを形成し、さらに外側方向に折り返して、剛性を出すための折り返し辺１０ｂを形成した係止部１０となっている。軒側となる側は、面板部１ｃの他側端縁を下面側に折り曲げて係合部１１となっている。係合部１１は、さらに外側方向に折り返されている。
図５（イ）に示したのは、（ア）を固定するための吊子３である。その吊子３は、下地材に固定するための固定部３０と、横葺き屋根材１の係止部１０に引っ掛けるための引っ掛け部３１とを有している。
特開平７−１１９２５６号公報によれば、「屋根材取付具（本願の図５では吊子３となっている）が緩衝材となって寒暖の差によって生じる伸縮を吸収することができるため、屋根の暴れ、剥がれを防止できる。」と、記載されている。
【０００３】
図６は、実公平６−１１２９３号公報に記載された横葺き屋根材１の固定構造に関するものである。
この横葺き屋根材１の係止部１０には、溝部分１０ａが形成されていて、係止部１０の軒側端縁には、爪片Ｔが形成されている。吊子３には、溝部分１０ａに係合する突部３２が形成されている。溝部分１０ａの長さの範囲で吊子３を移動させ、所定の位置で下地材に固定部３０を固定する。
実公平６−１１２９３号公報には、「爪片により吊り子が外れたりする恐れも全くない」と、記載されている。
図６の爪片Ｔは、図中左側の溝部分１０ａを乗り越えて吊子３が右方向に動いたとしても、あるいは逆に、図中右側の溝部分１０ａを乗り越えて吊子３が左方向に動いたとしても、溝部分１０ａと溝部分１０ａとの間に形成されている爪片Ｔで引っ掛かり、吊子３が外れるのを防いでいる。
【０００４】
さらに、図７（ア）（イ）（ウ）に基づいて説明する。図７は、特許第３７４２１８３号公報に示された技術であり、横葺き屋根材１である「アルミ押出成形材よりなる長尺な屋根板」を吊子３で固定するものである。また、その横葺き屋根材１に押し下げ片１ｅを設け、そこに屋根材固定具２を係止させて、横葺き屋根材１の左右方向への移動を防止することを特徴としている。
【発明の開示】
【発明が解決しようとする課題】
【０００５】
これまで述べた従来技術には、次のような問題点があった。
まず、図５に基づいて説明する。特開平７−１１９２５６号に記載の横葺き屋根材１の場合には、剛性を出すために形成された折り返し辺１０ｂの扁平な円弧状の端縁に、吊子３の引っ掛け部３１をはめて下地材に固定する。
横葺き屋根材１は直止めされていないため、温度変化によって伸縮を繰り返した場合、左右（桁行き）方向に対して同じ長さで伸びたり縮んだりせず、一方向に多く伸び、極端な場合には、同一線上にあったケラバが不揃いになってしまうことがあった。
また、同じ段の横葺き屋根材１・１が左右にハゼ組みされていた場合、左右（桁行き）方向の一方に伸びてしまい、ハゼ組み箇所が左右の一方に引っ張られて持ち上げられてしまうことがあった。
【０００６】
そのような問題点を解決するために、図６の爪片Ｔを、図５の横葺き屋根材１に組み合わせて横葺き屋根材１の動きを止めようとしてみる。現場で爪片Ｔを形成する場合には、板金バサミで係止部１０の端縁に切り込みを入れ、ツカミで掴んで面板部１ｃ側へ折り下げるか、もしくは叩いて折り下げることになる。１枚ごとに爪片Ｔを形成するには、手間がかかる。工場で成形機にて製作する場合には、爪片Ｔが成形機に引っ掛かってしまって成形不良になるか、別工程となる可能性があった。
また、図６のようなわずかな爪片Ｔでは、溝部分１０ａを乗り越えた吊子３を確実に固定しにくかった。たとえば、吊子３が図中右側方向に動いたとき、爪片Ｔの向かって左側の折り下がっている箇所の切り口に当たって止まる。吊子３の引っ掛け部３１が開くように変形していたなら、爪片Ｔの切り口が吊子３に当たることはなく、吊子３の内側にはいってしまい、横葺き屋根材１の動きを確実に止めることはできない。
【０００７】
図７に示した横葺き屋根材１は、「アルミ押出成形」によるものなので、重くて運搬や施工がしづらかった。また、他の金属板では製作することができないし、製作コストも高いものである。
さらに、押し下げ片１ｅに係止させる屋根材固定具２は、押し下げ片１ｅ以外の箇所に使用している吊子３と全く同じものを使うことができない。全く同じものを使うことができないという意味は、次の通りである。
押し下げ片１ｅに係止する屋根材固定具２と、それ以外の箇所に係止する吊子３とは、別々の形状のものを用いるか、または、押し下げ片１ｅに係止させることができるように、工場で上面板２２を押し下げたものも準備する必要があった。あるいは、現場で押し下げる必要があった。
つまり、屋根材固定具２として、吊子３とは別の形状のものを準備するという方法が１つあった。また、吊子３に何らかの手を加えて変形させる方法があった。従って、変形の必要のない、全く手を加えないものを、押し下げ片１ｅを係止する屋根材固定具２とし、それ以外の箇所を固定する吊子３として兼用することはできなかった。
【０００８】
さらに図７の場合には、押し下げ片１ｅを形成する際に、二カ所の切り込みを入れてから、切り込み間を押し下げている。その箇所を押し下げただけで先端を切断しない場合、図７（ア）（特許第３７４２１８３号公報の図７記載）のように押し下げ片１ｅの先端が軒側に出てしまい、働き幅が変わる可能性があった。
働き幅に支障がないように係合部と係止部１０との間にに余裕を持たせたとしても、押し下げ片１ｅに屋根材固定具２の引っ掛け部２１を係止させるには、屋根材固定具２を回転させて基板２４の軒側に形成されていて横葺き屋根材１を載せる載置部２３を、下段側の横葺き屋根材１の下に入れなければならない。屋根材固定具２を取り付けてから、その引っ掛け部２１を押し下げ片１ｅに係止させようとしても、軒側端縁に引っ掛かってしまってはめられないからである。
図７に基づいてこれまで述べた通り、金属製の横葺き屋根材の左右方向への移動を防止する技術は開示されているが、横葺き屋根材の軒棟方向の組み合わせに支障なく、移動を防止する部位を形成するという技術と、その部位に用いる屋根材固定具とそれ以外の部位に用いる吊子とを兼用できるという技術との、いずれの要件をも満たすものではなかった。
それに比べて本願は、係止部の剛性を保ちながら、しかも、伸縮による各段の横葺き屋根材の左右方向の移動を確実に止めることができる横葺き屋根材を提供することを目的としている。
また、金属板の種類を限定することなく、働き幅に影響を及ぼすこともなく、施工に手間もかからない横葺き屋根材を提供することを目的とする。
さらに、横葺き屋根材を固定する屋根材固定具は、必ずしも２種類必要としない横葺き屋根材を提供するものである。
【特許文献１】特開平７−１１９２５６号公報
【特許文献２】実公平６−１１２９３号公報
【特許文献３】特許第３７４２１８３号公報
【課題を解決するための手段】
【０００９】
請求項１は、本願の横葺き屋根材の上位概念を示している。
金属板を折り曲げて製作され、面板部と、軒側となる係合部と、棟側となる係止部とから成っていて、吊子と屋根材固定具とで固定される横葺き屋根材である。そして、前記係合部は面板部の一側端縁を下面側に折り曲げて形成されており、前記係止部は面板部の他側端縁を上面側に折り曲げた折り曲げ面と、該折り曲げ面を外側方向に折り返した折り返し辺とから形成されており、前記係止部には１以上の屋根材固定具被係止部が形成されている横葺き屋根材である。
そして、係止部に形成されている屋根材固定具被係止部以外の箇所が吊子で固定され、屋根材固定具被係止部には屋根材固定具がはめられて固定されており、前記屋根材固定具被係止部には前記吊子と同じ屋根材固定具をはめることができる。
つまり、吊子と全く同じ屋根材固定具をはめることもできるし、別のものをはめることもできる。
さらに、該吊子または屋根材固定具を前記屋根材固定具被係止部にはめたときに、該屋根材固定具被係止部の軒側端縁は屋根材固定具被係止部の両脇の折り曲げ箇所よりも少なくとも突出しない位置に形成されている横葺き屋根材を用いることを特徴とする。
屋根材固定具被係止部は、たとえば、次のような構成にすることができる。
前記折り曲げ面と折り返し辺との折り曲げ箇所を切り欠くとともに折り返し辺を切り落とした切り欠きを、屋根材固定具被係止部にすることができる。
また、前記折り曲げ面と折り返し辺との折り曲げ箇所から切り込みを入れてから押し下げることで、屋根材固定具被係止部を形成することができる。
さらに、前記折り曲げ面において、折り返し辺棟側端縁近傍を切り欠いた切り欠きを、屋根材固定具被係止部にすることもできる。
【００１０】
請求項２に記載した横葺き屋根材は、請求項１記載の横葺き屋根材の屋根材固定具被係止部が、前記折り曲げ面と前記折り返し辺との折り曲げ箇所を切り欠いた切り欠きであることを特徴とする横葺き屋根材である。
その切り欠きは、折り曲げ箇所だけを切り欠いて形成してあり、切り欠きである屋根材固定具被係止部の形成箇所には、折り返し辺が残してある。
【発明の効果】
【００１１】
本願は、係止部１０が剛性を保つことができ、しかも、伸縮による各段の横葺き屋根材の左右方向の移動を確実に止めることができる。
また、金属板の種類を限定しなくて済み、横葺き屋根材の屋根材固定具被係止部にはめる屋根材固定具は、必ずしも２種類必要としない。
請求項１によれば、係止部の剛性を保ったまま、横葺き屋根材の左右方向の動きを止めることができる横葺き屋根材を提供できる。
このような横葺き屋根材の屋根材固定具被係止部に屋根材固定具をはめた後に、横葺き屋根材が左右方向に移動した場合、屋根材固定具の端縁が、屋根材固定具被係止部の形成箇所の切り口に当たって止まる。屋根材固定具被係止部に、屋根材固定具の幅全体をはめることができるので、しっかり固定することができる。また、左右方向の左に動いても右に動いても、屋根材固定具の動きを規制して、確実に止めることができる。
さらに、金属板の種類を限定することなく、働き幅に影響を及ぼすことなく、施工に手間もかからない横葺き屋根材を提供することができる。
【００１２】
請求項２によれば、請求項１と同じ効果に加え、成形機によって横葺き屋根材を製作する際に、成形ラインに支障を来すことなく、しかも、工程を増やさずに屋根材固定具被係止部を形成することができる。
【実施例】
【００１３】
本願の横葺き屋根材１の実施例について、図１から図４に基づいて説明する。図１（ア）は本願の横葺き屋根材１の第一実施例を示しており、（イ）は他の実施例を示している。いずれも、本願の特徴である屋根材固定具被係止部Ｈが形成された部分を拡大した説明図である。（ウ）は、その横葺き屋根材１を固定するための吊子３の実施例である。そして、屋根材固定具２の実施例でもある。
図２と図３とは、図１（ア）に示した横葺き屋根材１に関する説明図である。図２（ア）は平面図、（イ）は（ア）のＢＢ線切断端面図である。
図３（ア）は横葺き屋根材１の全体を示す斜視図であり、（イ）は横葺き屋根材１の成形前の金属板の展開図である。
図４（ア）から（ウ）は、さらに他の実施例を示す説明図である。
まず、図１（ア）と図２及び図３により、第一実施例の横葺き屋根材１について説明する。本実施例の横葺き屋根材１は銅板でできており、面板部１ｃの一側端縁を上面側に折り曲げ、他側端縁を下面側に折り曲げた扁平な逆Ｓ字状をしている。棟側となる側は、面板部１ｃの一側端縁を上面側に折り曲げて折り曲げ面１０ｃを形成し、さらに外側方向に折り返して、剛性を出すための折り返し辺１０ｂを形成した係止部１０となっている。本実施例の場合には、折り曲げ面１０ｃの上に、二重になるように扁平に折り返し辺１０ｂを折り返している。この係止部１０に吊子３及び屋根材固定具２をはめて横葺き屋根材１を固定していく。
また、本実施例の場合には、折り返し辺１０ｂに切り欠きＫが形成されている。本実施例の切り欠きＫは屋根材固定具被係止部Ｈとなっており、折り曲げ面１０ｃと折り返し辺１０ｂとの折り曲げ箇所をくり抜くように切り欠いて形成されている。
切り欠きＫの形成箇所は、少なくとも屋根材固定具２をはめるための幅があればよい。屋根材固定具２の左右の幅が、すっぽりはまるくらいの大きさがよい。屋根材固定具被係止部Ｈである切り欠きＫにはめられる屋根材固定具２は、横葺き屋根材１の係止部１０の他の箇所を固定する吊子３と兼用でよい。屋根材固定具２が兼用でない場合には、屋根材固定具被係止部Ｈにはめて固定するための屋根材固定具２がはまる大きさでよい。
このように、切り欠きＫは、屋根材固定具２の幅（左右方向の長さ）全体をはめることができる形状である。
切り欠きＫは、係止部１０の左右方向のどの場所に形成してもいいし、少なくとも１つ形成されていればよい。そして、係止部１０の剛性を保つことができるようにする。屋根材固定具２をはめることができる幅に切り欠くので剛性が保てる。
【００１４】
この切り欠きＫについて、図３（イ）により詳述する。本実施例の切り欠きＫは、成形機による横葺き屋根材１の製造工程において、コイル状に巻かれた金属板を切断して外形の展開形状を切断するのと同時に行われ、そののちに成形コマで成形されていく。
つまり、切り欠きＫを形成するための金型を成形ラインに組み入れておくことで、切り欠きＫを形成するための工程を新たに増やすことなく、成形ライン上で、次に成形される横葺き屋根材１を切り離すのと同時に切り欠きＫを形成することができる。
そのようにして切断された金属板が成形コマによって折り曲げられて、横葺き屋根材１が製作される。このとき、折り曲げ面１０ｃと折り返し辺１０ｂの折り曲げ箇所となる金属板をくり抜くように金属板の一部分を切り欠いて切り欠きＫが形成されている。
金属板の端縁まで切り欠いてしまうのではなく、くり抜くようにして切り欠きＫを形成するため、成形ラインに金属板がつかえたり金属板が曲がったりすることなく、金属板の切断から成形までを連続して行うことができる。
もし、屋根材固定具被係止部Ｈである切り欠きＫが、金属板の端縁まで切り落とすようにして形成されていたとする。そうすると、折り返し辺１０ｂの形成が不安定となり、折り曲がらない可能性さえある。また、折り返し辺１０ｂの端縁は、折り曲げ面１０ｃの上に折り返されずに、軒側となる方向へ大きく曲がり、成形できない可能性もある。このように、成形前の展開形状のときに、穴をあけるようにして切り欠きＫを形成しない場合には、成形不良になりやすい。
切り欠きＫの周囲に面を残しておくことで、成形に何ら支障を及ぼすことなく横葺き屋根材１を製作することができるのである。従って、切り欠きＫは、成形が終わったあとで切り込みを入れて切断するという別工程にしなくてよい。
【００１５】
さらに、横葺き屋根材１の他の部位について説明する。本実施例の場合には、１枚の金属板を複数つないだように見せるために、面板部１ｃを折り畳んで、折り畳み部１ａが形成されている。そして、面板部１ｃの左右方向の一方を下面側に折り返して折り曲げハゼ１ｄを形成し、他方を上面側に折り返して折り曲げハゼ１ｂを形成している。
軒側となる側は、面板部１ｃの他側端縁を下面側に折り曲げて係合部１１となっている。係合部１１は、さらに外側方向に折り返されている。
図１（ウ）に示したのは、図１（ア）（イ）に示した横葺き屋根材１を固定するための吊子３を兼ねる屋根材固定具２である。その屋根材固定具２は、下地材に固定するための固定部２０と、横葺き屋根材１の係止部１０に引っ掛けるための引っ掛け部２１とを有している。
屋根材固定具２は、部品点数を減らすために、係止部１０の他の箇所を固定する吊子と兼用でもよいし、現場で、金属板の切れ端を利用して簡単な形状のものを作ってもよい。
図１（イ）に示した実施例では、吊子３と同じものをそのまま屋根材固定具２として使える。吊子３は、扁平な横向きＵ字状をしていて、係止部１０の折り曲げ箇所にも、屋根材固定具被係止部Ｈである切り欠きＫにもそのままはまる。つまり、何ら変形させることなくはめられる。
それに比べて、図７に示した従来技術の場合には、吊子３を兼ねる屋根材固定具２を用いたとしても、その上面板２２をハンマー等で叩いて折り下げる必要があった。
また、本願の場合には、屋根材固定具被係止部Ｈに、屋根材固定具２の引っ掛け部２１を軒側から棟側に向かってはめる際、屋根材固定具被係止部Ｈに引っ掛け部２１の開口部をスライドさせるようにしてはめるだけでよく、図７のように屋根材固定具２を回転させる必要もない。
【００１６】
このような横葺き屋根材１の施工は、次のようにして行われる。まず、横葺き屋根材１の係止部１０を吊子３で下地材に固定する。吊子３と兼用である屋根材固定具２の引っ掛け部２１を横葺き屋根材１の係止部１０に引っ掛け、固定部２０に止着具を打ち込んで下地材に固定する。この場合、屋根材固定具２は、タルキに固定されることが多い。
次に、その横葺き屋根材１の折り曲げハゼ１ｂに、隣りに施工する横葺き屋根材１の折り曲げハゼ１ｄを組み合わせる。さらに、すでに固定されている横葺き屋根材１の係止部１０に、上段に施工する横葺き屋根材１の係合部１１を組み合わせて葺いていく。
このように順に施工していく過程で、屋根材固定具被係止部Ｈである切り欠きＫにも、屋根材固定具２の引っ掛け部２１をはめて、下地材に止着具で固定していくのである。切り欠きＫにはめられた屋根材固定具２は、横葺き屋根材１が伸縮によって移動した場合に、その動きを止めて、横葺き屋根材１が変形したり左右方向の端縁が不揃いになったりするのを防ぐことができる。
尚、屋根材固定具被係止部Ｈの切断面であって、折り曲げ面１０ｃと折り返し辺１０ｂが重なっている箇所が密接しておらず、少し開いていて隙間がある場合がある。このようなとき、その屋根材固定具２の固定部２０の端縁の方から隙間に差し込んで取り付けることもできる。また、その隙間に、引っ掛け部２１の端縁を挿入することもできる。
このように、折り曲げ面１０ｃと折り返し辺１０ｂとが重なっていて、金属板が二重になっている箇所を挟むように屋根材固定具２をはめる方法以外の方法も考えられる。
【００１７】
切り欠きＫ以外の箇所にはめられた吊子３は、横葺き屋根材１の係止部１０に引っ掛けられて下地材に固定されているので、横葺き屋根材１を直接固定しているのではない。従って、横葺き屋根材１が温度変化によって伸縮する可能性がある。しかし、切り欠きＫにはめられた屋根材固定具２によって、横葺き屋根材１の動きを止めることができる。切り欠きＫは図５のような爪片Ｔではなく、屋根材固定具２の幅全体をはめることができるので、横葺き屋根材１が左右方向に動いたとしても、屋根材固定具２によって、その動きを確実に止められる。つまり、左右方向の左に動いても右に動いても、屋根材固定具２が、屋根材固定具被係止部Ｈの形成箇所の左右の切り口のどちらかに当たって止まる。
屋根材固定具被係止部Ｈである切り欠きＫの軒側端縁は、つまり切断面は、その左右の折り曲げ面１０ｃと折り返し辺１０ｂとの折り曲げ箇所から、所定間隔棟側にはいった箇所にある。このため、屋根材固定具２を切り欠きＫにはめても、屋根材固定具２の軒側端縁は両脇の折り曲げ箇所よりも突出せず、働き幅に影響を及ぼさずに済む。
【００１８】
続いて、他の実施例について、図１（イ）により説明する。これまで述べた横葺き屋根材１とは、切り欠きＫが異なるだけである。従って、図１（ア）の横葺き屋根材１と異なる点だけを説明する。
図１（イ）の切り欠きＫは、すでに成形された横葺き屋根材１の折り返し辺１０ｂと折り曲げ面１０ｃの折り曲げ箇所から二カ所の切り込みを入れて、折り返し辺１０ｂと折り曲げ面１０ｃとを切り落として形成されている。横葺き屋根材１の成形後に、工場で、その工程を追加すればよい。この工程が増える点が、（ア）との違いである。
この場合でも、切り欠きＫは、折り返し辺１０ｂの全体長さのうちの一部を切り落としているだけなので、剛性を損なうことはない。
【００１９】
続いて、図４（ア）から（ウ）により、屋根材固定具被係止部Ｈのさらに他の実施例を説明する。（イ）と（ウ）は、要部の拡大図である。
（ア）に示した屋根材固定具被係止部Ｈは、横葺き屋根材１の成形後に、二カ所切り込みを入れ、切り込み間の箇所を押し下げながら後退させてある。この形成工程は、一工程でできる。
このとき、屋根材固定具被係止部Ｈの軒側端縁は、その両脇の折り返し辺１０ｂと折り曲げ面１０ｃとの折り曲げ箇所よりも軒側に突出しない位置に形成されている。つまり、屋根材固定具被係止部Ｈにはめる屋根材固定具２の軒側端縁が、それ以外の係止部１０の軒側端縁を引っ込めて形成することで形成されている。
そうすることで、横葺き屋根材１の移動を止めることができ、働き幅に影響を及ぼすことがない。もし、切り込みを入れて押し下げたときに、屋根材固定具被係止部Ｈの端縁が軒側に出ていたら、上段に施工する横葺き屋根材１が軒側に突出してしまう。しかし、他の箇所にはめる吊子３の軒側端縁よりも、屋根材固定具被係止部Ｈにはめる屋根材固定具２の軒側端縁が突出することがないので、働き幅が変わることがない。
【００２０】
吊子３と屋根材固定具２とは兼用でき、同じものを屋根材固定具被係止部Ｈにも、係止部１０の折り曲げ箇所（折り返し辺１０ｂと折り曲げ面１０ｃとの折り曲げ箇所）にもはめることができる。
（イ）のように、屋根材固定具被係止部Ｈに屋根材固定具２をはめて下地材に止着具で固定するときも、（ウ）のように、係止部１０において、折り返し辺１０ｂと折り曲げ面１０ｃとの折り曲げ箇所に吊子３をはめて下地材に止着具で固定するときも、単にはめるだけでよい。横葺き屋根材１を回転させる必要はなく、また、屋根材固定具２を変形させなくてもよい。扁平な横向きＵ字状であって、吊子３を兼ねる屋根材固定具２の引っ掛け部２１を屋根材固定具被係止部Ｈまたは前記折り曲げ箇所にはめればよい。
図４の場合には、横葺き屋根材１が伸縮して左右方向に移動したとしても、屋根材固定具被係止部Ｈの両脇に入れられた二カ所の切り込みのどちらかに、屋根材固定具２が当たって、横葺き屋根材１の動きを止めることができる。
【００２１】
さらに、折り曲げ面１０ｃの一部をくり抜くように切り欠いて、屋根材固定具２をはめることができる形状の切り欠きＫを形成してもよい。たとえば、折り曲げ面１０ｃであって、折り返し辺１０ｂの棟側端縁近傍を、屋根材固定具２がはまる分だけ細長く切り欠いて屋根材固定具被係止部Ｈを形成してもよい。
この場合も、図１（ア）の場合と同様、横葺き屋根材１の製作工程に切り欠きＫの形成工程を組み入れることができる。
図１（ア）の切り欠きＫの展開形状は長方形であるが、短辺の一方の長さを短くして、屋根材固定具被係止部Ｈである切り欠きＫを形成してもよい。その場合には、切り込み箇所の長さが異なるので、切り欠きＫが台形となり、その斜辺に合わせて屋根材固定具２をはめて下地材に固定したならば、横葺き屋根材１の左右方向の動きがいっそう規制される。
これまで述べた通り、本願は、折り返し辺１０ｂが形成された横葺き屋根材１の係止部１０に屋根材固定具被係止部Ｈを形成し、そこに屋根材固定具２をはめて固定することで、横葺き屋根材１の温度変化による左右方向の動きを止めることができればよい。
【図面の簡単な説明】
【００２２】
【図１】（ア）は本願の横葺き屋根材の第一実施例を示す説明図であり、（イ）は他の実施例の説明図である。（ウ）は、（ア）（イ）を固定するための屋根材固定具２の実施例である。
【図２】（ア）は図１（ア）に示した横葺き屋根材１の平面図であり、（イ）は図２（ア）のＢＢ線切断端面図である。
【図３】図１（ア）の横葺き屋根材１の全体を示す斜視図であり、（イ）はその成形前の展開図である。
【図４】（ア）（イ）（ウ）は、本願の他の実施例を示す説明図である。
【図５】（ア）（イ）は従来技術の説明図である。
【図６】従来技術の説明図である。
【図７】従来技術の説明図である。
【符号の説明】
【００２３】
１      横葺き屋根材
１ａ    折り畳み部
１ｂ    折り曲げハゼ
１ｃ    面板部
１ｄ    折り曲げハゼ
１ｅ    押し下げ片
１０    係止部
１０ａ  溝部分
１０ｂ  折り返し辺
１０ｃ  折り曲げ面
１１    係合部
Ｈ      屋根材固定具被係止部
Ｋ      切り欠き
Ｔ      爪片
２      屋根材固定具
２０    固定部
２１    引っ掛け部
２２    上面板
２３    載置部
２４    基板
３      吊子
３０    固定部
３１    引っ掛け部
３２    突部
【図１】
2010106505.tif 000003
【図２】
2010106505.tif 000004
【図３】
2010106505.tif 000005
【図４】
2010106505.tif 000006
【図５】
2010106505.tif 000007
【図６】
2010106505.tif 000008
【図７】
2010106505.tif 000009